(57)【要約】      （修正有）【課題】凝縮器吸込みセンサ位置を変更して外気温も検知できるようにして、外気温に対応した棚の温度制御が可能となり、また、複数のヒータ線で制御することで、ホット商品を常に適温に保つことができる冷温蔵ショーケースを提供する。【解決手段】複数の商品棚が多段に設置された商品陳列室の周囲に、ファンにより冷却器を通して冷気を循環させる通風路を備えるとともに、商品陳列室を上部のホット室と下部のコールド室とに分け、上部ホット室の陳列棚に設けられたヒータの通電制御とにより、商品陳列室全体が冷却されるオールコールド運転と、ホット室が加温されコールド室が冷却されるホット＆コールド運転とに切換運転される冷温蔵ショーケースにおいて、陳列棚としての棚板６ａ裏側に設ける温度センサは、センサ感知部１４を棚板６ａに対して面接触するようにした。【選択図】図１
2011250989.tif 000002
【特許請求の範囲】
【請求項１】
複数の商品棚が多段に設置された商品陳列室の周囲に、ファンにより冷却器を通して冷気を循環させる通風路を備えるとともに、商品陳列室を上部のホット室と下部のコールド室とに分け、上部ホット室の陳列棚に設けられたヒータの通電制御とにより、商品陳列室全体が冷却されるオールコールド運転と、ホット室が加温されコールド室が冷却されるホット＆コールド運転とに切換運転される冷温蔵ショーケースにおいて、陳列棚裏側に設ける温度センサは、センサ感知部を棚板に対して面接触するようにしたことを特徴とする冷温蔵ショーケースの棚板温度センサ。
【請求項２】
センサ感知部は、熱伝導のよい樹脂をもって陳列棚裏側に貼り付けることにより、棚板に対して面接触する請求項１記載の冷温蔵ショーケースの棚板温度センサ。
【請求項３】
センサ感知部は、断面形状を蒲鉾形とし、その平坦面を棚板に対して当接させる請求項１記載の冷温蔵ショーケースの棚板温度センサ。
【発明の詳細な説明】
【技術分野】
【０００１】
本発明は、ホット商品とコールド商品とを同時に陳列できる冷温蔵ショーケースの棚板温度センサに関する。
【背景技術】
【０００２】
複数の商品棚が多段に設置された商品陳列室の周囲に、ファンにより冷却器を通して冷気を循環させる通風路を備えるとともに、商品陳列室を上部のホット室と下部のコールド室とに分け、上部ホット室の商品棚に設けられたヒータの通電制御とにより、商品陳列室全体が冷却されるオールコールド運転と、ホット室が加温されコールド室が冷却されるホット＆コールド運転とに切換運転される冷温蔵ショーケースが知られており、このようなショーケースについては、例えば特許文献１に記載されている。
【特許文献１】特開２００４−３３７２２９号公報
【０００３】
冷温蔵ショーケースでオープンショーケースタイプのものは、例えば図７、図８に示すように断熱壁で形成され前面に商品出し入れ用の開口２を有するショーケース本体１内を仕切板３で商品収納庫４と冷気循環ダクト５とに区画し、商品収納庫４内に複数段の陳列棚６を前後にスライド自在に配設する。
【０００４】
図示は省略するが、冷気循環ダクト５内に送風機と冷却器とを配設して、図８に示すように商品収納庫４の下方に設けた吸込口７から吸込んだ空気を冷却して冷気として上方の吹出口８から前面の開口２に向けて吹出し、ここに冷気エアカーテンを形成して商品収納庫４内の商品を保冷している。
【０００５】
商品収納庫４内の上半分をホット商品の収納部に、下半分をコールド商品の収納部とするのに、下半分の庫内の陳列棚６に陳列されているコールド商品を保冷するために、図９に示すように冷気循環ダクト５の途中を、ホット商品の収納部とコールド商品の収納部との境界部位で冷気の流れを遮断する中間仕切板９で仕切るとともに、前記中間仕切板９の形成部位に対応させて冷気を庫内に導く中間吹出口１０を仕切板３に設ける。この中間吹出口１０は、仕切板３に吹出しのための孔や切欠きを適宜設けることで形成する。
【０００６】
そして、下方の収納部に陳列されているコールド商品を保冷するには、庫内の背面側に前記のようにして形成された中間吹出口１０から庫内に向けて冷気を吹出す。
【０００７】
陳列棚６のうち、上部ホット室に設けられたものは、ヒータの通電制御とにより加温されるようになっており、図５に示すように、裏側にシリコンコードヒータ１２を貼り付けており、このシリコンコードヒータ１２は陳列棚６の棚板６ａの周囲に添って、かつ、１本のものを後側βの中央から左右に分け、前側αが複数列並ぶように前側α中央とで折り返している。
【０００８】
シリコンコードヒータ１２は陳列棚６の裏側に感圧接着剤付アルミ箔テープ１６ａとアルミ箔テープ１６ｂとで挟み込むことで、陳列棚６に貼り付け固定する。
【０００９】
図中１３は温度ヒューズ、１４は温度センサのセンサ感知部であり、これらは陳列棚６の棚板６ａの裏側中央部に取り付けられる。
【００１０】
センサ感知部１４は、図４に示すように、棚板６ａの裏側にセンサ取付板１５をフック形状にして設け、このセンサ取付板１５によりその弾性力をもって抱持して、棚板６ａの裏側に押し付けるようにしている。
【発明の開示】
【発明が解決しようとする課題】
【００１１】
このようにセンサ取付板１５によりセンサ感知部１４を取り付ける従来の固定方法では、センサ感知部１４は断面円形のものであり、棚板６ａとは点接触している。
【００１２】
かかる点接触では、棚板６ａの裏面に取り付けたセンサ感知部１４が、検知したい棚板６ａの温度を検知できていないため、陳列棚に置いた一部商品が加温不足又は過剰加温となっている。
【００１３】
本発明の目的は前記従来例の不都合を解消し、棚板の裏面へのセンサ感知部の取り付けを棚板に対して接触面積を増すことで温度検知精度の向上を図ることができる冷温蔵ショーケースの棚板温度センサを提供することにある。
【課題を解決するための手段】
【００１４】
前記目的を達成するため請求項１記載の本発明は、複数の商品棚が多段に設置された商品陳列室の周囲に、ファンにより冷却器を通して冷気を循環させる通風路を備えるとともに、商品陳列室を上部のホット室と下部のコールド室とに分け、上部ホット室の陳列棚に設けられたヒータの通電制御とにより、商品陳列室全体が冷却されるオールコールド運転と、ホット室が加温されコールド室が冷却されるホット＆コールド運転とに切換運転される冷温蔵ショーケースにおいて、陳列棚裏側に設ける温度センサは、センサ感知部を棚板に対して面接触するようにしたことを要旨とするものである。
【００１５】
請求項１記載の本発明によれば、センサ感知部を棚板に対して面接触するようにしたので、棚板に対して接触面積を増すことで温度検知精度の向上を図ることができる。
【００１６】
請求項２、請求項３記載の本発明は、センサ感知部は、熱伝導のよい樹脂をもって陳列棚裏側に貼り付けることにより、棚板に対して面接触すること、もしくは、断面形状を蒲鉾形とし、その平坦面を棚板に対して当接させることを要旨とするものである。
【００１７】
請求項２、請求項３記載の本発明によれば、面接触するようにした具体例を示すものであり、容易にその接触面積を確保できる。
【発明の効果】
【００１８】
以上述べたように本発明の冷温蔵ショーケースの棚板温度センサは、棚板の裏面へのセンサ感知部の取り付けを棚板に対して接触面積を増すことで温度検知精度の向上を図ることができるものである。
【発明を実施するための最良の形態】
【００１９】
以下、図面について本発明の実施形態を詳細に説明する。図１は本発明の冷温蔵ショーケースの棚板温度センサの第１実施形態を示す縦断側面図で、図中６ａは棚板である。
【００２０】
なお、棚板６ａは冷温蔵ショーケースの商品収納庫内に複数段の陳列棚を形成するものであり、オープンショーケースタイプの冷温蔵ショーケースについては、図６〜図８について説明した通りであり、詳細説明は省略する。
【００２１】
また、棚板６ａは図４に示すように、裏側にシリコンコードヒータ１２を貼り付けており、このシリコンコードヒータ１２は陳列棚６の棚板６ａの周囲に添って、かつ、１本のものを後側βの中央から左右に分け、前側αが複数列並ぶように前側α中央とで折り返している。
【００２２】
シリコンコードヒータ１２は陳列棚６の裏側に感圧接着剤付アルミ箔テープ１６ａとアルミ箔テープ１６ｂとで挟み込むことで、陳列棚６に貼り付け固定する。
【００２３】
図中１３は温度ヒューズ、１４は温度センサのセンサ感知部であり、これらは陳列棚６の棚板６ａの裏側中央部に取り付けられる。
【００２４】
本発明は、このセンサ感知部１４を熱伝導のよい樹脂１７をもって、陳列棚裏側に貼り付けることにより、棚板６ａに対して面接触するようにした。この熱伝導のよい樹脂１７は柔らかい樹脂であることが望ましい。
【００２５】
熱伝導のよい樹脂１７としては、プラスチック材料に熱伝導性、放熱性を付与するため、金属または無機充填剤を添加したものであり、一般にはアルミナ、シリカ等の無機フィラーやカーボンファイバー、黒鉛、低融点合金等の熱伝導性材料をプラスチックに単独あるいは併用して配合する。
【００２６】
熱伝導のよい樹脂１７の１例としては、ポリカーボネート系樹脂／熱可塑性シリコーン樹脂／高熱伝導性無機化合物よりなるポリマーアロイにおいて、熱可塑性シリコーン樹脂が連続相を形成しており、かつ高熱伝導性無機化合物を、ポリカーボネート系樹脂以外の相内に優先的に存在させた高熱伝導性熱可塑性樹脂組成物が利用できる。
【００２７】
熱伝導のよい樹脂１７の他例としては、スチレン単量体及び／または（メタ）アクリル系単量体を用いて合成される１種以上の熱可塑性樹脂／ポリアミド系樹脂／高熱伝導性無機化合物よりなるポリマーアロイにおいて、ポリアミド系樹脂が連続相を形成しており、かつ高熱伝導性無機化合物を、スチレン系単量体及び／または（メタ）アクリル系単量体を用いて構成された熱可塑性樹脂以外の相内に優先的に存在させた高熱伝導性熱可塑性樹脂組成物が利用できる。
【００２８】
なお、熱伝導のよい樹脂１７はそれ自体で接着性を発揮できるものであればそれを利用してセンサ感知部１４を棚板６ａの裏側に貼り付け、接着性がない場合は別途接着剤を用いて貼り付ける。
【００２９】
また、熱伝導のよい樹脂１７は成形の際に、センサ感知部１４を収用する凹部１７ａを形成しておけば、ホルダーとしてセンサ感知部１４を支承できる。
【００３０】
このようにしてセンサ感知部１４は熱伝導のよい樹脂１７の平坦部１７ｂを介して面接触で棚板６ａに接合し、棚板６ａの温度を検知する。
【００３１】
図２は本発明の第２実施形態を示すもので、前記熱伝導のよい樹脂１７はこれを取付板１８に設置し、この取付板１８を介して棚板６ａの裏側に貼り付るようにした。
【００３２】
取付板１８は角穴１８ａを形成して、この角穴１８ａに前記熱伝導のよい樹脂１７を一部入り込ませて、平坦部１７ｂを介して面接触で棚板６ａに接合させる。
【００３３】
また、取付板１８は両端に下向きのフランジ１８ｂを外向きに形成し、このフランジ１８ｂには係止窓孔１８ｃを穿設する。
【００３４】
図中１９は端部に湾曲弾部１９ａを設けた線条もしくは帯条の押え材１９であり、押え材１９の湾曲弾部１９ａを前記係止窓孔１８ｃに嵌めることで取付板１８の下側にその開放面を横切るように渡し、この押え材１９で熱伝導のよい樹脂１７の凹部１７ａ収用されたセンサ感知部１４を押えるものとした。
【００３５】
このようにすれば、熱伝導のよい樹脂１７が接着性を有しなくても、凹部１７ａ収用されたセンサ感知部１４を押え材１９により固定できる。
【００３６】
また、センサ感知部１４を交換するような場合には、押え材１９の端部に形成した湾曲弾部１９ａを前記係止窓孔１８ｃから外すことで、簡単に押え材１９
を取付板１８より外すことができる。
【００３７】
図３は本発明の第３実施形態を示すもので、センサ感知部１４は、断面形状を蒲鉾形とし、その平坦面１４ａを棚板６ａに対して当接させるようにした。
【００３８】
センサ感知部１４には温度が増すと抵抗が増大するサーミスタであるＰＴＣサーミスタが適しており、チタン酸バリウムに添加物を加えたセラミックを用いたセラミックＰＴＣ、低融点のポリマー中にカーボンブラック、ニッケル等の導電性粒子を分散させたポリマーＰＴＣがある。
【００３９】
前記平坦面１４ａは成形により形成するようにし、また、センサ感知部１４の棚板６ａの取り付けは、接着剤によるもの、もしくは、前記従来例のように、棚板６ａの裏側にセンサ取付板を設け、このセンサ取付板により固定してもよい。
【図面の簡単な説明】
【００４０】
【図１】本発明の冷温蔵ショーケースの棚板温度センサの第１実施形態を示す縦断側面図である。
【図２】本発明の冷温蔵ショーケースの棚板温度センサの第２実施形態を示す縦断側面図である。
【図３】本発明の冷温蔵ショーケースの棚板温度センサの第３実施形態を示す縦断側面図である。
【図４】従来例を示す縦断側面図である。
【図５】陳列棚の平面図である。
【図６】図４のＡ−Ａ線拡大断面図である。
【図７】冷温蔵ショーケースで、オープンショーケースの斜視図である。
【図８】冷温蔵ショーケースで、オープンショーケースの縦断側面図である。
【図９】冷温蔵ショーケースで、ホット部とコールド部に分けた場合の縦断側面図である。
【符号の説明】
【００４１】
１  ショーケース本体              ２  開口
３  仕切板                        ４  商品収納庫
５  冷気循環ダクト                ６  陳列棚
６ａ  棚板
７  吸込口                        ８  吹出口
９  中間仕切板                    １０  中間吹出口  
１２  シリコンコードヒータ
１３  温度ヒューズ                １４  センサ感知部
１４ａ  平坦面                    １５  センサ取付板
１６ａ  感圧接着剤付アルミ箔テープ
１６ｂ  アルミ箔テープ
１７  熱伝導のよい樹脂            １７ａ  凹部
１７ｂ  平坦部                    １８  取付板
１８ａ  角穴                      １８ｂ  フランジ
１８ｃ  係止窓孔                  １９  押え材
１９ａ  湾曲弾部
【図１】
2011250989.tif 000003
【図２】
2011250989.tif 000004
【図３】
2011250989.tif 000005
【図４】
2011250989.tif 000006
【図５】
2011250989.tif 000007
【図６】
2011250989.tif 000008
【図７】
2011250989.tif 000009
【図８】
2011250989.tif 000010
【図９】
2011250989.tif 000011